【手続補正書】
【提出日】平成24年2月1日(2012.2.1)
【手続補正１】
【補正対象書類名】明細書
【補正対象項目名】００７２
【補正方法】変更
【補正の内容】
【００７２】
当業界の専門家は、これ以上慣行的な実験を行わずとも上記本発明の特定の具体化例と同等な多くの変形を想定しそれを確認することができるであろう。これらの同等事項および他の同等事項は特許請求の範囲に包含されている。本発明の背景の項を含む本明細書に引用されたすべての出版物および引用文献は参考のために全文が添付されている。
本願発明は以下の態様を含む。
（態様１）
実質的に硼素を含まないガラスウール繊維および実質的に硼素を含まない切断ガラス繊維から成り、該切断ガラス繊維は全体に亙って該ガラスウールの中に分散していることを特徴とする不織布フィルター媒質複合体。
（態様２）
該ガラスウール繊維は酸化硼素を約０．２重量％以下の量で含んでいることを特徴とする態様１記載のフィルター媒質複合体。
（態様３）
該切断ガラス繊維は酸化硼素を約１．０重量％より少ない量で含んでいることを特徴とする態様１記載のフィルター媒質複合体。
（態様４）
該ガラスウール繊維は平均直径が約０．１〜約５．０μであることを特徴とする態様１記載のフィルター媒質複合体。
（態様５）
該ガラスウール繊維は平均直径が約０．４〜約１．０μであることを特徴とする態様４記載のフィルター媒質複合体。
（態様６）
該ガラスウール繊維の長さ対直径の比（ｌ／ｄ）は約１００〜約１０，０００であることを特徴とする態様１記載のフィルター媒質複合体。
（態様７）
該ガラスウール繊維の長さ対直径の比（ｌ／ｄ）は約３００であることを特徴とする態様６記載のフィルター媒質複合体。
（態様８）
該切断ガラス繊維は平均直径が約６．５μであることを特徴とする態様１記載のフィルター媒質複合体。
（態様９）
該切断ガラス繊維は平均の長さが約１／４〜１／２インチであることを特徴とする態様１記載のフィルター媒質複合体。
（態様１０）
該複合体はさらに接合剤を含んでいることを特徴とする態様１記載のフィルター媒質複合体。
（態様１１）
該接合剤は該複合体の約２〜１０重量％であることを特徴とする態様１０記載のフィルター媒質複合体。
（態様１２）
該接合剤は該複合体の約３〜９重量％であることを特徴とする態様１１記載のフィルター媒質複合体。
（態様１３）
該接合剤はスチレン−アクリル系接合剤であることを特徴とする態様１０記載のフィルター媒質複合体。
（態様１４）
該複合体はさらに撥水剤を含んでいることを特徴とする態様１記載のフィルター媒質複合体。
（態様１５）
該撥水剤は該複合体の約０．０１〜５．０重量％であることを特徴とする態様１４記載のフィルター媒質複合体。
（態様１６）
該撥水剤は該複合体の約０．０５〜約３．０重量％であることを特徴とする態様１５記載のフィルター媒質複合体。
（態様１７）
該撥水剤はフルオロアクリレートであることを特徴とする態様１４記載のフィルター媒質複合体。
（態様１８）
該複合体はさらに表面活性剤を含んでいることを特徴とする態様１記載のフィルター媒質複合体。
（態様１９）
該表面活性剤は該複合体の約１．５×１０−５〜約１．０重量％であることを特徴とする態様１８記載のフィルター媒質複合体。
（態様２０）
該表面活性剤は該複合体の約５×１０−５〜約０．１重量％であることを特徴とする態様１８記載のフィルター媒質複合体。
（態様２１）
該切断ガラス繊維は約５５〜６５％重量％のＳｉＯ２を含んでいることを特徴とする態様１記載のフィルター媒質複合体。
（態様２２）
該切断ガラス繊維は約５９〜６０％重量％のＳｉＯ２を含んでいることを特徴とする態様２１記載のフィルター媒質複合体。
（態様２３）
該切断ガラス繊維は約１０〜１５％重量％のＡｌ２Ｏ３を含んでいることを特徴とする態様１記載のフィルター媒質複合体。
（態様２４）
該切断ガラス繊維は約１３％重量％のＡｌ２Ｏ３を含んでいることを特徴とする態様２３記載のフィルター媒質複合体。
（態様２５）
該切断ガラス繊維は約０〜約１重量％の硼素を含んでいることを特徴とする態様１記載のフィルター媒質複合体。
（態様２６）
該切断ガラス繊維は約０．６重量％以下の硼素を含んでいることを特徴とする態様２５記載のフィルター媒質複合体。
（態様２７）
該切断ガラス繊維は約１重量％以下の酸化鉄を含んでいることを特徴とする態様１記載のフィルター媒質複合体。
（態様２８）
該切断ガラス繊維は約０．５重量％以下の酸化鉄を含んでいることを特徴とする態様２７記載のフィルター媒質複合体。
（態様２９）
該切断ガラス繊維は約２重量％以下の酸化ナトリウムを含んでいることを特徴とする態様１記載のフィルター媒質複合体。
（態様３０）
該切断ガラス繊維は約１．０重量％以下の酸化ナトリウムを含んでいることを特徴とする態様２９記載のフィルター媒質複合体。
（態様３１）
該切断ガラス繊維は約３．０重量％以下の酸化カリウムを含んでいることを特徴とする態様１記載のフィルター媒質複合体。
（態様３２）
該切断ガラス繊維は約０．５重量％以下の酸化カリウムを含んでいることを特徴とする態様３１記載のフィルター媒質複合体。
（態様３３）
該切断ガラス繊維は約２０〜約２５重量％の酸化カルシウムを含んでいることを特徴とする態様１記載のフィルター媒質複合体。
（態様３４）
該切断ガラス繊維は約２１〜約２３重量％の酸化ナトリウムを含んでいることを特徴とする態様３３記載のフィルター媒質複合体。
（態様３５）
該切断ガラス繊維は約５重量％以下の酸化マグネシウムを含んでいることを特徴とする態様１記載のフィルター媒質複合体。
（態様３６）
該切断ガラス繊維は約４．０重量％以下の酸化マグネシウムを含んでいることを特徴とする態様３５記載のフィルター媒質複合体。
（態様３７）
該ガラスウール繊維は約７０重量％以下のＳｉＯ２を含んでいることを特徴とする態様１記載のフィルター媒質複合体。
（態様３８）
該ガラスウール繊維は約６２〜約６９重量％のＳｉＯ２を含んでいることを特徴とする態様３７記載のフィルター媒質複合体。
（態様３９）
該ガラスウール繊維は約７重量％以下のＡｌ２Ｏ３を含んでいることを特徴とする態様１記載のフィルター媒質複合体。
（態様４０）
該ガラスウール繊維は約２．５〜約６．５重量％のＡｌ２Ｏ３を含んでいることを特徴とする態様３９記載のフィルター媒質複合体。
（態様４１）
該ガラスウール繊維は約０．５重量％以下の酸化鉄を含んでいることを特徴とする態様１記載のフィルター媒質複合体。
（態様４２）
該ガラスウール繊維は約０．０２重量％以下の酸化鉄を含んでいることを特徴とする態様４１記載のフィルター媒質複合体。
（態様４３）
該ガラスウール繊維は約０．２重量％以下の硼素を含んでいることを特徴とする態様１記載のフィルター媒質複合体。
（態様４４）
該ガラスウール繊維は約０．０８重量％以下の硼素を含んでいることを特徴とする態様４３記載のフィルター媒質複合体。
（態様４５）
該ガラスウール繊維は約１５重量％以下の酸化ナトリウムを含んでいることを特徴とする態様１記載のフィルター媒質複合体。
（態様４６）
該ガラスウール繊維は約８．５〜約１２．５重量％の酸化ナトリウムを含んでいることを特徴とする態様４５記載のフィルター媒質複合
体。
（態様４７）
該ガラスウール繊維は約７重量％以下の酸化カリウムを含んでいることを特徴とする態様１記載のフィルター媒質複合体。
（態様４８）
該ガラスウール繊維は約２．５〜約７．０重量％の酸化カリウムを含んでいることを特徴とする態様４７記載のフィルター媒質複合体。
（態様４９）
該ガラスウール繊維は約１０．０重量％以下の酸化カルシウムを含んでいることを特徴とする態様１記載のフィルター媒質複合体。
（態様５０）
該ガラスウール繊維は約４．０〜約６．０重量％の酸化カルシウムを含んでいることを特徴とする態様４９記載のフィルター媒質複合体。
（態様５１）
該ガラスウール繊維は約５重量％以下の酸化マグネシウムを含んでいることを特徴とする態様１記載のフィルター媒質複合体。
（態様５２）
該ガラスウール繊維は約２．５〜約５．０重量％の酸化マグネシウムを含んでいることを特徴とする態様５１記載のフィルター媒質複合体。
（態様５３）
該ガラスウール繊維は約１０重量％以下の酸化バリウムを含んでいることを特徴とする態様１記載のフィルター媒質複合体。
（態様５４）
該ガラスウール繊維は約０〜約９．５重量％の酸化バリウムを含んでいることを特徴とする態様５３記載のフィルター媒質複合体。
（態様５５）
該ガラスウール繊維は約５重量％以下の酸化亜鉛を含んでいることを特徴とする態様１記載のフィルター媒質複合体。
（態様５６）
該ガラスウール繊維は約０．５〜約３．０重量％の酸化亜鉛を含んでいることを特徴とする態様５５記載のフィルター媒質複合体。
（態様５７）
該切断ガラス繊維は約５５〜約６５重量％のＳｉＯ２、約１０〜１５重量％のＡｌ２Ｏ３、約０〜約１重量％の硼素、約１重量％以下の酸化鉄、約２．０重量％以下の酸化ナトリウム、約３．０重量％以下の酸化カリウム、約２０〜２５重量％の酸化カルシウム、および約５重量％以下の酸化マグネシウムを含み、該ガラスウール繊維は約７０重量％以下のＳｉＯ２、約７重量％以下のＡｌ２Ｏ３、約０．５重量％以下の酸化鉄、約０．２重量％以下の硼素、約１５重量％以下の酸化ナトリウム、約７重量％以下の酸化カリウム、約１０．０重量％以下の酸化カルシウム、約５重量％以下の酸化マグネシウム、約１０重量％以下の酸化バリウムおよび約５重量％以下の酸化亜鉛を含んでいることを特徴とする態様１記載のフィルター媒質複合体。
（態様５８）
該切断ガラス繊維は該フィルター媒質複合体の全重量の約５〜約４０重量％をなしている態様５７記載のフィルター媒質複合体。
（態様５９）
該切断ガラス繊維は約５９〜約６０重量％のＳｉＯ２、約１３重量％のＡｌ２Ｏ３、約０．６重量％以下の硼素、約０．５重量％以下の酸化鉄、約１．０重量％以下の酸化ナトリウム、約０．５重量％以下の酸化カリウム、約２１〜２３重量％の酸化ナトリウム、約４．０重量％の酸化マグネシウムを含み、該ガラスウール繊維は約６２〜６９重量％のＳｉＯ２、約２．５〜６．５重量％のＡｌ２Ｏ３、約０．２重量％以下の酸化鉄、約０．０８重量％以下の硼素、約８．５〜１２．５重量％の酸化ナトリウム、約２．５〜約７．０重量％の酸化カリウム、約４．０〜６．０重量％の酸化カルシウム、約２．５〜約５．０重量％の酸化マグネシウム、約０〜約９．５重量％の酸化バリウムおよび約０．５〜約３．０重量％の酸化亜鉛を含んでいることを特徴とする態様１記載のフィルター媒質複合体。
（態様６０）
該切断ガラス繊維は該フィルター媒質複合体の全重量の約５〜約４０重量％をなしている態様５９記載のフィルター媒質複合体。
（態様６１）
該切断ガラス繊維は該フィルター媒質複合体の全重量の約５〜約４０重量％をなしている態様１記載のフィルター媒質複合体。
（態様６２）
該切断ガラス繊維は該フィルター媒質複合体の全重量の約２０〜約２５重量％をなしている態様１記載のフィルター媒質複合体。
【手続補正２】
【補正対象書類名】特許請求の範囲
【補正対象項目名】全文
【補正方法】変更
【補正の内容】
【特許請求の範囲】
【請求項１】
実質的に硼素を含まないガラスウール繊維および実質的に硼素を含まない切断ガラス繊維から成り、該切断ガラス繊維は全体に亙って該ガラスウールの中に分散していることを特徴とする不織布フィルター媒質複合体。